(57)【特許請求の範囲】
【請求項１】
映像信号から付加情報及び／又は特徴量を検出する付加情報／特徴量検出手段と、上記付加情報及び／又は特徴量に基づいて、映像信号の各画面に対応する複数の識別信号を生成する識別信号生成手段と、上記映像信号とともに、上記識別信号を記録媒体に記録する記録手段とを有する映像信号記録部と、
上記記録媒体から上記複数の識別信号を検出する識別信号検出手段と、上記複数の識別信号の内、再生すべき映像信号を特定する識別信号を選択する選択手段と、上記選択手段により選択された識別信号に対応する画面の映像信号を上記記録媒体から再生する再生手段とを有する映像信号再生部とを備え、
上記映像信号再生部の再生手段は、上記識別信号検出手段により検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする映像信号記録再生装置。
【請求項２】
上記映像信号記録部の上記付加情報／特徴量検出手段は、映像信号及び音声信号の付加情報及び／又は特徴量を検出することを特徴とする請求項１に記載の映像信号記録再生装置。
【請求項３】
映像信号から付加情報及び／又は特徴量を検出し、上記付加情報及び／又は特徴量に基づいて、映像信号の各画面に対応する複数の識別信号を生成し、上記映像信号とともに、上記複数の識別信号を記録媒体に記録し、上記記録媒体から上記複数の識別信号を検出し、上記複数の識別信号の内、再生すべき映像信号を特定する識別信号を選択し、選択された識別信号に対応する画面の映像信号を上記記録媒体から再生する映像信号記録再生方法であって、
検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする映像信号記録再生方法。
【請求項４】
映像信号及び音声信号の付加情報及び／又は特徴量を検出することを特徴とする請求項３に記載の映像信号記録再生方法。
【請求項５】
映像信号とともに、この映像信号の付加情報及び／又は特徴量に基づいて生成された各画面に対応する複数の識別信号が記録された記録媒体から、この複数の識別信号を検出する識別信号検出手段と、
上記複数の識別信号の内、再生すべき映像信号を特定する識別信号を選択する選択手段と、
上記選択手段により選択された識別信号に対応する画面の映像信号を上記記録媒体から再生する再生手段とを備え、
上記再生手段は、上記識別信号検出手段により検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする映像信号再生装置。
【請求項６】
映像信号とともに、この映像信号の付加情報及び／又は特徴量に基づいて生成された各画面に対応する複数の識別信号が記録された記録媒体から、上記複数の識別信号を検出し、検出した複数の識別信号の内、再生すべき映像信号を特定する識別信号を選択し、選択した識別信号に対応する画面の映像信号を上記記録媒体から再生する映像信号再生方法であって、
検出した複数の識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする映像信号再生方法。
【発明の詳細な説明】
【０００１】
【発明の属する技術分野】
本発明は、映像信号とともに、この映像信号の内容の概略を把握するため及び映像信号を検索するためのサーチ画面を記録／再生する映像信号記録再生装置、映像信号記録再生方法、映像信号再生装置及び映像信号再生方法に関する。
【０００２】
【従来の技術】
近年、テレビジョン放送やデジタル衛星放送で放送された映像信号等を記録する光ディスク，ハードディスク又はデジタルビデオテープ等の記録媒体は、記憶容量が数メガから数１０ギガバイト単位となっており、大容量化が進んでいる。そのため、このような大容量の記録媒体では、映像信号を数時間から数１０時間といった長時間の連続記録が可能となっている。
【０００３】
【発明が解決しようとする課題】
ところで、このような記録媒体を用いてテレビジョン放送等の映像信号の記録をした場合、記録容量が大きいため記録した後に高速再生等をしたとしても短時間で全ての内容を確認することができない。そのため、このような大容量の記録媒体を用いてテレビジョン放送等を記録する場合には、記録した内容の概略や各番組等の記録位置の情報等を確認できる機能が必要となる。
【０００４】
しかしながら、従来記録媒体に記録した映像信号の内容の概略を確認することは、非常に困難であった。例えば、記録媒体に記録された内容の概略を確認するために、再生ポイントを一定時間毎に飛ばすインターバル再生が考えられるが、このインターバル再生では、記録されている映像信号の情報内容に全く関係なく再生を行ってしまう。そのため、このインターバル再生では、映像信号の内容を把握することは難しい。
【０００５】
本発明の目的は、このような実情を鑑みてなされたものであり、映像信号とともに、この映像信号の内容の概略を把握し、また、映像信号の検索をするサーチ画面を記録し、再生する映像信号記録再生装置及び記録再生方法を提供することにある。
【０００６】
また、本発明の目的は、上記サーチ画面を再生する映像信号再生装置及び再生方法を提供することにある。
【０００９】
【課題を解決するための手段】
本発明に係る映像信号記録再生装置は、映像信号から付加情報及び／又は特徴量を検出する付加情報／特徴量検出手段と、上記付加情報及び／又は特徴量に基づいて、映像信号の各画面に対応する複数の識別信号を生成する識別信号生成手段と、上記映像信号とともに、上記識別信号を記録媒体に記録する記録手段とを有する映像信号記録部と、上記記録媒体から上記複数の識別信号を検出する識別信号検出手段と、上記複数の識別信号の内、再生すべき映像信号を特定する識別信号を選択する選択手段と、上記選択手段により選択された識別信号に対応する画面の映像信号を上記記録媒体から再生する再生手段とを有する映像信号再生部とを備え、上記映像信号再生部の再生手段は、上記識別信号検出手段により検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする。
【００１０】
本発明に係る映像信号記録再生装置において、上記映像信号記録部の上記付加情報／特徴量検出手段は、例えば、映像信号及び音声信号の付加情報及び／又は特徴量を検出する。
【００１２】
本発明は、映像信号から付加情報及び／又は特徴量を検出し、上記付加情報及び／又は特徴量に基づいて、映像信号の各画面に対応する複数の識別信号を生成し、上記映像信号とともに、上記複数の識別信号を記録媒体に記録し、上記記録媒体から上記複数の識別信号を検出し、上記複数の識別信号の内、再生すべき映像信号を特定する識別信号を選択し、選択された識別信号に対応する画面の映像信号を上記記録媒体から再生する映像信号記録再生方法であって、検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする。
【００１３】
本発明に係る映像信号記録再生方法では、例えば、映像信号及び音声信号の付加情報及び／又は特徴量を検出する。
【００１５】
本発明に係る映像信号再生装置は、映像信号とともに、この映像信号の付加情報及び／又は特徴量に基づいて生成された各画面に対応する複数の識別信号が記録された記録媒体から、この複数の識別信号を検出する識別信号検出手段と、上記複数の識別信号の内、再生すべき映像信号を特定する識別信号を選択する選択手段と、上記選択手段により選択された識別信号に対応する画面の映像信号を上記記録媒体から再生する再生手段とを備え、上記再生手段は、上記識別信号検出手段により検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする。
【００１７】
本発明は、映像信号とともに、この映像信号の付加情報及び／又は特徴量に基づいて生成された各画面に対応する複数の識別信号が記録された記録媒体から、上記複数の識別信号を検出し、検出した複数の識別信号の内、再生すべき映像信号を特定する識別信号を選択し、選択した識別信号に対応する画面の映像信号を上記記録媒体から再生する映像信号再生方法であって、検出した複数の識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することを特徴とする。
【００２２】
【発明の実施の形態】
以下、本発明を適用した実施の形態である映像信号記録装置について、図面を参照しながら説明する。この実施の形態の映像信号記録装置は、映像信号を記録媒体に記録するとともに、この映像信号の付加情報及び特徴量に基づき各画面に付加する識別信号を生成する装置である。
【００２３】
図１に本発明の実施の形態の映像信号記録装置１のブロック構成図を示す。
【００２４】
映像信号記録装置１は、有線で放送或いは伝送されたアナログの映像信号が入力される映像信号入力処理回路２と、カメラからの伝送信号が入力されるカメラ信号入力処理回路３と、放送され或いは伝送されたデジタルの映像信号が入力されるデジタル映像信号入力処理回路４と、無線放送された映像信号及び音声信号が入力される受信信号入力処理回路５と、映像信号入力処理回路２，カメラ信号入力処理回路３，デジタル映像信号入力処理回路４，及び受信信号入力処理回路５により入力処理された映像信号を切り換える映像信号切換回路６と、入力された映像信号の圧縮処理をする映像信号圧縮回路７とを備えている。
【００２５】
また、映像信号記録装置１は、有線で放送或いは伝送されたアナログの音声信号が入力される音声信号入力処理回路８と、マイクからの伝送信号が入力されるマイク信号入力処理回路９と、放送され或いは伝送されたデジタルの音声信号が入力されるデジタル音声信号入力処理回路１０と、音声信号入力処理回路８，マイク信号入力処理回路９，デジタル音声信号入力処理回路１０，及び受信信号入力処理回路５により入力処理された音声信号を切り換える音声信号切換回路１１と、音声信号の検出処理をする音声信号検出処理回路１２と、入力された音声信号の圧縮処理をする音声信号圧縮回路１３とを備えている。
【００２６】
また、映像信号記録装置１は、映像信号圧縮回路７により圧縮された映像信号と、音声信号圧縮回路１３により圧縮された音声信号を合成して記録媒体１５に記録する記録処理回路１４を備えている。
【００２７】
また、放送され或いは伝送される映像信号の付加情報又は各映像信号に重畳されて或いは付加されている付加情報を検出する付加情報検出回路１６と、映像信号及び音声信号の特徴量を検出する特徴量検出回路１７とを備えている。
【００２８】
また、映像信号記録装置１は、付加情報及び特徴量に基づき識別信号を生成し、また、各回路を制御するシステムコントローラ２０と、このシステムコントローラ２０が参照するデータを格納しているデータベース２１と、このシステムコントローラ２０に操作入力情報を供給する操作入力処理回路２２とを備えている。
【００２９】
映像信号入力処理回路２には、例えば有線で放送されるアナログの映像信号や伝送されたアナログの映像信号が入力される。映像信号入力処理回路２は、このアナログの映像信号を復調等してベースバンドの映像信号に変換し、このベースバンドの映像信号をデジタルの映像信号に変換して映像信号切換回路６に供給する。
【００３０】
カメラ信号入力処理回路３には、例えばビデオカメラで撮影した映像信号が入力される。カメラ信号入力処理回路３は、ビデオカメラからの映像信号がアナログ信号であれば、復調等をしてベースバンドの映像信号に変換し、このベースバンドの映像信号をデジタルの映像信号に変換して映像信号切換回路６に供給する。また、カメラ信号入力処理回路３は、ビデオカメラからの映像信号がデジタル信号であれば、誤り訂正や圧縮された信号の伸張処理の復号処理等をして、映像信号切換回路６に供給する。
【００３１】
デジタル映像信号入力処理回路４には、例えばデジタル伝送された映像信号や、デジタル放送された映像信号が入力される。デジタル映像信号入力処理回路４は、入力された映像信号の復調等の処理をして、誤り訂正や圧縮された信号の伸張処理等をして、映像信号切換回路６に供給する。
【００３２】
受信信号入力処理回路５には、無線放送されアンテナ等により受信された映像信号及び音声信号が入力される。受信信号入力処理回路５は、受信した映像信号の復調等の処理をして、ベースバンドの映像信号に変換し、このベースバンドの映像信号をデジタルの映像信号に変換して映像信号切換回路６に供給する。さらに、映像信号がデジタル信号であれば、誤り訂正や圧縮されたデータの伸張処理等の復号処理をして、映像信号切換回路６に供給する。また、受信信号入力処理回路５は、受信した音声信号の復調等の処理をして、ベースバンドの音声信号に変換し、このベースバンドの音声信号をデジタルの音声信号に変換して音声信号切換回路１１に供給する。さらに、音声信号がデジタル信号であれば、誤り訂正や圧縮されたデータの伸張処理等の復号処理をして、音声信号切換回路１１に供給する。
【００３３】
映像信号切換回路６には、映像信号入力処理回路２，カメラ信号入力処理回路３，デジタル映像信号入力処理回路４，及び受信信号入力処理回路５からのデジタルの映像信号が入力される。このとき、入力される映像信号は、例えば色差信号のデジタル映像信号である。映像信号切換回路６は、システムコントローラ２０の制御に基づき、入力された映像信号の内いずれか１つの映像信号を選択して、映像信号圧縮回路７，付加情報検出回路１６，特徴量検出回路１７に供給する。
【００３４】
映像信号圧縮回路７には、映像信号切換回路６からのデジタルの映像信号が入力される。映像信号圧縮回路７は、映像信号切換回路６からのデジタルの映像信号を例えばＭＰＥＧ２（Moving Picture Experts Group 2）方式等で圧縮し記録処理回路１４に供給する。
【００３５】
音声信号入力処理回路８には、例えば有線で放送されるアナログの音声信号や伝送されたアナログの音声信号が入力される。音声信号入力処理回路８は、このアナログの音声信号を復調等してベースバンドの音声信号に変換し、このベースバンドの音声信号をデジタルの音声信号に変換して音声信号切換回路１１に供給する。
【００３６】
マイク信号入力処理回路９には、例えばマイクで検出した音声信号が入力される。マイク信号入力処理回路９は、マイクからの音声信号がアナログ信号であれば、復調等をしてベースバンドの音声信号に変換し、このベースバンドの音声信号をデジタルの音声信号に変換して音声信号切換回路１１に供給する。また、マイクからの音声信号がデジタル信号であれば、誤り訂正や圧縮された信号の伸張処理の復号処理等をして、音声信号切換回路１１に供給する。
【００３７】
デジタル音声信号入力処理回路１０には、例えばデジタル伝送された音声信号や、デジタル放送された音声信号が入力される。デジタル音声信号入力処理回路１０は、入力された音声信号の復調等の処理をして、ベースバンドのデジタルデータに変換し、誤り訂正や圧縮された信号の伸張処理等をして、音声信号切換回路１１に供給する。
【００３８】
音声信号切換回路１１には、音声信号入力処理回路８，マイク信号入力処理回路９，デジタル音声信号入力処理回路１０，及び受信信号入力処理回路５からのデジタルの音声信号が入力される。音声信号切換回路１１は、システムコントローラ２０の制御に基づき、入力された音声信号の内いずれか１つの音声信号を選択して、音声信号検出処理回路１２及び特徴量検出回路１７に供給する。
【００３９】
音声信号検出処理回路１２には、音声信号切換回路１１からのデジタル音声信号が入力される。音声信号検出処理回路１２は、システムコントローラ２０の制御に基づき、音声信号圧縮回路１３に供給する。
【００４０】
音声信号圧縮回路１３には、音声信号検出処理回路１２からのデジタル音声信号が入力される。音声信号圧縮回路１３は、音声信号切換回路１１からのデジタルの音声信号を例えばＭＰＥＧ２方式等で圧縮し記録処理回路１４に供給する。
【００４１】
記録処理回路１４には、映像信号圧縮回路７からのデジタル映像信号及び音声信号圧縮回路１３からのデジタル音声信号が入力される。記録処理回路１４は、このデジタル映像信号とデジタル音声信号を所定のフォーマットで合成し、すなわち、記録媒体１５の記録フォーマットに応じたかたちで合成する。また、いわゆるＦＡＴ（File Allocation Table），ＴＯＣ（Table Of Contents），サブコード等と呼ばれるファイル管理情報等を記録する記録媒体に合わせたかたちで生成し、デジタル映像信号及びデジタル音声信号とともに合成する。なお、これらのファイル管理情報等は、システムコントローラ２０により生成して、記録処理回路１４が映像信号と合成して記録しても良い。そして、記録処理回路１４は、これらの記録する映像信号等を所定の方式で変調し、及び、エラー訂正符号の付加処理等をして記録媒体１５に記録をする。
【００４２】
記録媒体１５は、例えば、ハードディスク、磁気ディスク、光磁気ディスク、メモリカード等あらゆる記録媒体であってよい。
【００４３】
付加情報検出回路１６には、映像信号切換回路６からのデジタル映像信号が入力される。また、付加情報検出回路１６には、アンテナからの受信信号，アナログ映像信号，カメラ信号又はデジタル映像信号の各入力映像信号とともに供給される付加情報が入力される。付加情報検出回路１６は、デジタル映像信号の画像データ以外の情報、例えば垂直帰線期間等に挿入された情報やパイロット情報、又は、デジタル映像信号のヘッダ部分等に含まれる付加情報等を検出する。また、付加情報検出回路１６は、各入力映像信号とともに供給される付加情報を検出する。この付加情報の内容については詳細を後述する。
【００４４】
特徴量検出回路１７には、映像信号切換回路６からのデジタル映像信号及び音声信号切換回路１１からのデジタル音声信号が入力される。特徴量検出回路１７は、映像信号及び音声信号から動き量やテロップ、音声情報等を検出して、これらの検出した動き量やテロップ、音声情報等を特徴量として出力する。特徴量検出回路１７は、検出した特徴量をシステムコントローラ２０に供給する。この特徴量については詳細を後述する。
【００４５】
システムコントローラ２０には、付加情報検出回路１６からの付加情報、特徴量検出回路１７からの特徴量が供給される。システムコントローラ２０は、入力された付加情報及び特徴量に基づき、記録処理回路１４に供給する識別信号を生成する。このシステムコントローラ２０の処理の詳細は、後述する。記録処理回路１４は、システムコントローラ２０から供給された識別信号を映像信号に付加して、記録媒体１５に記録する。
【００４６】
また、システムコントローラ２０は、映像信号切換回路６及び音声信号切換回路１１の切換制御処理を行う。すなわち、システムコントローラ２０は、入力された映像信号及び音声信号の種類を判断し、この切換制御処理を行う。さらに、システムコントローラ２０は、音声信号検出処理回路１２の制御を行う。
【００４７】
また、システムコントローラ２０には、データベース２１からの制御情報等が供給される。システムコントローラ２０は、この制御情報に基づき、各種制御を行う。
【００４８】
また、システムコントローラ２０には、操作入力処理回路２２からの操作入力情報が供給される。システムコントローラ２０は、この操作入力情報に基づき、各種制御を行う。
【００４９】
つぎに、システムコントローラ２０の処理内容、及び、付加情報検出回路１６，特徴量検出回路１７が検出する付加情報，特徴量について説明する。
【００５０】
付加情報検出回路１６は、上述したように映像信号の垂直帰線期間内等に含まれるパイロット情報やデジタル信号のヘッダ部分等に含まれる付加情報を検出する。この付加情報検出回路１６が検出する具体的な付加情報の内容としては、テロップ出現情報、音楽開始情報、音楽終了情報、人物出現情報、番組内容情報、番組ジャンル情報、放送時間情報等がある。
【００５１】
テロップ出現情報とは、映像信号の中に含まれる字幕等のテロップが画面上に出現しているかどうかを示す情報である。音楽開始情報及び音楽終了情報とは、映像信号とともに含まれる音声信号の開始時間と、終了時間を示す情報である。人物出現情報とは、画面上に人物が登場していることを示す情報である。この人物出現情報は、例えば、あるスポーツ選手Ａという人物が登場していることを示す。番組内容情報とは、放送される映像信号の具体的な番組名等を示す情報である。番組ジャンル情報とは、放送される映像信号の番組のジャンルを示す情報である。番組ジャンル情報は、例えば、ニュース番組、スポーツ番組、映画等を示す。放送時間帯情報とは、放送される時間帯を示す情報である。
【００５２】
付加情報検出回路１６は、このような付加情報が例えば映像信号のヘッダ部分等に含まれていれば、システムコントローラ２０にこの情報を供給する。
【００５３】
特徴量検出回路１７は、上述したように映像信号及び音声信号から特徴量を検出する。具体的な特徴量としては、映像の動き量情報すなわち動きベクトル情報や、画面に挿入されているテロップの出現情報、または、音楽開始或いは終了情報等がある。この動き量の検出方法としては、例えば、代表点マッチング法やブロックマッチング法等があるが、どのような方法を用いても良い。また、テロップを検出する方法としては、例えば、時間軸方向に連続して一定な輝度である画素を検出する方法や、近傍画素に比べて輝度レベルが高い領域を検出する方法や、画面内のエッジを検出しエッジパターンが所定の領域に連続しているものを検出する方法や、背景とのコントラストを比較してそのヒストグラムを用いて検出する方法等が考えられるが、その方法は、特に限定されない。
【００５４】
特徴量検出回路１７は、このような特徴量の情報を映像信号や音声信号から検出し、システムコントローラ２０にこの情報を供給する。
【００５５】
一方、システムコントローラ２０は、上述した付加情報及び特徴量に基づき、図２のフローチャートに示す処理を行い、識別信号を生成する。
【００５６】
システムコントローラ２０は、映像信号記録装置１の動作が開始されると例えば電源が投入されると、ステップＳ１１からの処理を開始する。
【００５７】
ステップＳ１１において、システムコントローラ２０は、付加情報検出回路１６や特徴量検出回路１７等の被制御回路の初期化を行う。続いてステップＳ１２において、ユーザによる記録開始の入力操作、すなわち、ユーザからの記録指示が有ったかどうかを判断する。ユーザからの操作入力がない場合はこのステップＳ１２で待機し、ユーザからの操作入力が有った場合はステップＳ１３に進む。
ステップＳ１３において、システムコントローラ２０は、各回路に記録開始の制御信号を与える。各回路の記録動作が開始されると、システムコントローラ２０は、付加情報検出回路１６及び特徴量検出回路１７から付加情報及び特徴量を読み出す。
【００５８】
続いてステップＳ１４において、システムコントローラ２０は、読み出した付加情報及び特徴量に基づき、識別信号を生成する。具体的な識別信号の内容は以下の通りである。
【００５９】
すなわち、そのフレームにテロップが出現していることを表すテロップ識別信号、そのフレームから音楽が開始することを表す音楽開始識別信号、そのフレームで音楽が終了することを表す音楽終了識別信号、そのフレームにある人物が登場していることを表す人物識別信号、そのフレームにはある番組の映像が記録されていることを表す番組識別信号、そのフレームの番組にジャンルを表すジャンル識別信号、そのフレームの放送時間を表す放送時間識別信号等である。
【００６０】
なお、ここで挙げた各種識別信号は、単なる一例であり、付加情報及び特徴量に基づき生成できる識別信号であれば、その内容は問わない。
【００６１】
続いてステップＳ１５において、システムコントローラ２０は、生成した識別信号を記録処理回路１４に供給する。
【００６２】
記録処理回路１４は、この識別信号が供給されると、映像信号圧縮回路７及び音声信号圧縮回路１３から供給される映像信号及び音声信号を記録媒体１５に記録する際に、この映像信号に各フレームに対応させた識別信号を付加する。具体的にはこの識別信号は、映像信号のいわゆるＦＡＴ（File Allocation Table），ＴＯＣ（Table Of Contents），サブコード等と呼ばれるファイル管理情報領域や、ＤＶＤ−ＶＩＤＥＯのフォーマットにおけるナビゲーションパックと呼ばれる領域等に記録される。なお、これらのファイル管理情報等は、システムコントローラ２０が実際のデータストリームを生成して、記録処理回路１４が映像信号と合成しても良い。
【００６３】
また、記録処理回路１４は、このようなファイル管理領域等に識別信号を記録せずに、映像信号の同期情報とともに、記録媒体１５の別領域にこの識別信号を記録しても良い。
【００６４】
続いてステップＳ１６において、システムコントローラ２０は、記録が終了したどうかを判断する。記録が終了していなければ、ステップＳ１７に進む。
【００６５】
ステップＳ１７において、システムコントローラ２０は、次に付加情報及び特徴量を検出するフレームを更新して、ステップＳ１３からの処理を繰り返す。なお、ここでは、フレーム毎に付加情報を生成し、このフレーム毎に処理を更新しているが、例えばフレーム単位ではなく、一定時間単位で付加情報を生成し、処理を更新していっても良い。この際には、識別信号と映像信号の同期をとるための時間管理情報が必要となる。
【００６６】
そして、システムコントローラ２０は、ステップＳ１６で記録が終了したと判断すると、このステップＳ１１からステップＳ１７までの処理を終了する。
【００６７】
以上のように、映像信号記録装置１では、映像信号の付加情報と特徴量に基づいて各画面に対応させて複数の識別信号を生成し、このようなサーチ画面を生成するための識別信号を映像信号とともに記録媒体に記録することにより、記録した映像信号の内容の概略を容易に把握することができ、また、効率的に映像信号の検索をすることができサーチ画面を生成させることができる。
【００６８】
つぎに、本発明を適用した実施の形態である映像信号再生装置について、図面を参照しながら説明する。
【００６９】
この実施の形態の映像信号再生装置は、映像信号を記録媒体から再生するとともに、記録媒体に記録された識別信号に基づき、この映像信号を検索する為のサーチ画面を生成する装置である。
【００７０】
図３に本発明の実施の形態の映像信号再生装置３０のブロック構成図を示す。
映像信号再生装置３０は、映像信号及び音声信号を記録媒体１５から再生する再生処理回路３１と、この再生処理回路３１から再生された映像信号の伸張処理をする映像信号伸張回路３２と、伸張された映像信号に対して後述するシステムコントローラ４１の制御に基づき所定の加工処理を施す映像信号処理回路３３と、この映像信号処理回路３３の処理フィールドとなるメモリ３３ａと、この映像信号処理回路３３により処理が施されたデジタルの映像信号をアナログの映像信号に変換する映像信号デジタルアナログ変換回路（以下、単に映像信号Ｄ／Ａ変換回路という。）３４と、アナログの映像信号の出力処理をする映像信号出力処理回路３５とを備えている。
【００７１】
また、映像信号再生装置３０は、再生処理回路３１から再生された音声信号の伸張処理をする音声信号伸張処理回路３６と、伸張された音声信号に対して後述するシステムコントローラ４１の制御に基づき所定の加工処理を施す音声信号処理回路３７と、この音声信号処理回路３７により処理が施されたデジタルの音声信号をアナログの音声信号に変換する音声信号デジタルアナログ変換回路（以下、単に音声信号Ｄ／Ａ変換回路という。）３８と、アナログの音声信号の出力処理をする音声信号出力処理回路３９とを備えている。
【００７２】
また、映像信号再生装置３０は、再生処理回路３１から再生された再生信号から識別信号を検出する識別信号検出回路４０を備えている。
【００７３】
また、映像信号再生装置３０は、検出した識別信号に基づき映像信号処理回路３３を制御し、また、その他各回路を制御するシステムコントローラ４１と、このシステムコントローラ４１が参照するデータを格納しているデータベース４２と、このシステムコントローラ４１に操作入力情報を供給する操作入力処理回路４３とを備えている。
【００７４】
記録媒体１５は、例えば、ハードディスク、磁気ディスク、光磁気ディスク、メモリカード等あらゆる記録媒体であってよい。この記録媒体１５には、上述した映像信号記録装置１により記録された映像信号と、その識別信号が記録されている。
【００７５】
記録処理回路３１は、例えば、記録媒体１５が光ディスクであればピックアップ等からデータを再生し、このデータを所定の方式で復調し、エラー訂正処理等を施す。そして、記録処理回路３１は、記録媒体１５に記録されている映像信号、音声信号を映像信号伸張回路３２及び音声信号伸張回路３６に供給する。また、記録処理回路３１は、映像信号等とともに記録されているＴＯＣ情報等を再生し、再生したＴＯＣ情報等を識別信号検出回路４０に供給する。
【００７６】
映像信号伸張回路３２には、記録処理回路３１からの圧縮された映像信号が入力される。映像信号伸張回路３２は、圧縮された映像信号を例えばＭＰＥＧ２方式等で伸張し映像信号処理回路３３に供給する。
【００７７】
映像信号処理回路３３には、映像信号伸張回路３２からの伸張された映像信号が入力される。映像信号処理回路３３は、システムコントローラ４１の制御に基づき、メモリ３３ａを用いて映像信号の加工処理を施し、サーチ画面を生成する。この加工処理については、詳細を後述する。映像信号処理回路３３は、所定の加工処理を施した映像信号を映像信号Ｄ／Ａ変換回路３４に供給する。
【００７８】
映像信号Ｄ／Ａ変換回路３４には、映像信号処理回路３３からのデジタルの映像信号が入力される。映像信号Ｄ／Ａ変換回路３４は、デジタルデータをアナログの信号に変換して映像信号出力処理回路３５に供給する。
【００７９】
映像信号出力処理回路３５には、映像信号Ｄ／Ａ変換回路３４からのアナログの映像信号が供給される。映像信号出力処理回路３５は、このアナログの映像信号を増幅して、例えば、外部装置となるモニタ装置に出力する。
【００８０】
音声信号伸張回路３６には、記録処理回路３１からの圧縮された音声信号が入力される。音声信号伸張回路３６は、圧縮された音声信号を例えばＭＰＥＧ２方式等で伸張し音声信号処理回路３７に供給する。
【００８１】
音声信号処理回路３７には、音声信号伸張回路３６からの伸張された音声信号が入力される。音声信号処理回路３７は、システムコントローラ４１の制御に基づき、音声信号に所定の加工処理を施す。音声信号処理回路３７は、所定の加工処理を施した音声信号を音声信号Ｄ／Ａ変換回路３８に供給する。
【００８２】
音声信号Ｄ／Ａ変換回路３８には、音声信号処理回路３７からのデジタルの音声信号が入力される。音声信号Ｄ／Ａ変換回路３８は、デジタルデータをアナログの信号に変換して音声信号出力処理回路３９に供給する。
【００８３】
音声信号出力処理回路３９には、音声信号Ｄ／Ａ変換回路３４からのアナログの音声信号が供給される。音声信号出力処理回路３５は、このアナログの音声信号を増幅して、例えば、外部装置となるスピーカ等に出力する。
【００８４】
識別信号検出回路４０には、記録処理回路３１から再生された映像信号等の管理情報となる例えばＴＯＣ情報等やサブコード情報等が入力される。識別信号検出回路４０は、この管理情報から上述した映像信号記録装置１により記録した識別信号を検出する。識別信号検出回路４０は、映像信号処理回路３３で処理されるフレーム番号やそのフレームの時間情報等に対応づけてこの識別信号をシステムコントローラ４１に供給する。
【００８５】
ここで、識別信号検出回路４０により検出される識別信号は、例えば、そのフレームにテロップが出現していることを表すテロップ識別信号、そのフレームから音楽が開始することを表す音楽開始識別信号、そのフレームで音楽が終了することを表す音楽終了識別信号、そのフレームにある人物が登場していることを表す人物識別信号、そのフレームにはある番組の映像が記録されていることを表す番組識別信号、そのフレームの番組にジャンルを表すジャンル識別信号、そのフレームの放送時間を表す放送時間識別信号等である。
【００８６】
システムコントローラ４１には、識別信号検出回路４０からの識別信号が入力される。システムコントローラ４１は、入力された識別信号に基づき、映像信号処理回路３３を制御し、この映像信号処理回路３３に詳細を後述するサーチ画面を生成させる。このシステムコントローラ４１の処理の詳細は後述する。
【００８７】
また、システムコントローラ４１は、この映像信号処理回路３３の制御に合わせて、音声信号処理回路３７を制御し、再生する音声信号の制御を行う。
【００８８】
また、システムコントローラ４１には、データベース４２からの制御情報等が供給される。システムコントローラ４１は、この制御情報に基づき、各種制御を行う。
【００８９】
また、システムコントローラ４１には、操作入力処理回路４３からの操作入力情報が供給される。システムコントローラ４１は、この操作入力情報に基づき、各種制御を行う。
【００９０】
つぎに、システムコントローラ４１の処理内容、及び、映像信号処理回路３３が生成するサーチ画面について説明する。
【００９１】
図４は、映像信号再生装置３０により生成されるサーチ画面を説明する図である。ここでサーチ画面とは、記録媒体１５に記録された映像信号の内容を把握するために、モニタ上に特徴的な画面を複数表示させたものである。
【００９２】
映像信号処理回路３３は、システムコントローラ４１の制御に基づき、このサーチ画面を生成する。すなわち、システムコントローラ４１は、サーチ画面に表示すべきフレームを識別信号に基づいて判断する。そしてシステムコントローラ４１は、映像信号処理回路３３にこのフレームを記録媒体１５から読み出させる。映像信号処理回路３３は、システムコントローラ４１の制御に基づき、サーチ画面に表示すべきフレームが供給されると、メモリ３３ａで各フレームを合成し、図４に示すように、複数のフレームを縮小させて１のフレームで出力する。
【００９３】
なお、システムコントローラ４１は、サーチ画面に表示するフレームを、ユーザの操作入力やデータベース４２上の情報に基づき選択する。すなわち、システムコントローラ４１は、記録媒体１５に記録されている識別信号が複数有るため、どの識別信号に対応したフレームを表示するかをユーザの操作入力等に基づき判断する。
【００９４】
以下、このサーチ画面を生成する場合のシステムコントローラ４１の処理を、図５に示すフローチャートを用いて説明する。
【００９５】
システムコントローラ４１は、映像信号再生装置３０の電源等が投入され、動作が開始するステップＳ２１からの処理を開始する。
【００９６】
ステップＳ２１において、システムコントローラ４１は、映像信号処理回路３３や識別信号検出回路４０等の被制御回路の初期化を行う。続いてステップＳ２２において、ユーザからの操作入力が有ったかどうかを判断する。ユーザからの操作入力がない場合はこのステップＳ２２で待機し、ユーザからの操作が有った場合はステップＳ２３に進む。
【００９７】
ステップＳ２３において、システムコントローラ４１は、ユーザからの操作入力がサーチ画面生成操作であるかどうかを判断する。サーチ画面を生成する場合は、ステップＳ２５に進み、サーチ画面を生成しない場合、例えば、単に映像信号の再生動作や高速再生等の場合は、ステップＳ２４に進む。
【００９８】
ステップＳ２４において、システムコントローラ４１は、再生処理等の制御を行いこの処理を終了する。
【００９９】
また、ステップＳ２５において、システムコントローラ４１は、ユーザの操作入力等に基づき、サーチ画面として出力するフレームを検出するため、識別信号の選択処理を行う。すなわち、ユーザが指定したフレームを表示するために、そのフレームに対応した識別信号を選択する。
【０１００】
システムコントローラ４１は、このステップＳ２５では、具体的に図６のフローチャートに示すステップＳ４１からステップＳ５１までの処理を行う。
【０１０１】
まず、ステップＳ４１〜ステップＳ４３において、システムコントローラ４１は、ユーザから操作入力される識別信号設定入力の判断をする。ここで、ユーザからの識別信号設定入力としては、例えば、データベース設定入力と、パーソナルＩＤ設定入力と、通常設定入力との３つの場合がある。
【０１０２】
データベース設定入力は、データベース４２上に識別信号の組み合わせを予め数パターン登録しておき、この登録された識別信号の組み合わせでサーチ画面を生成する場合である。具体的には、ニュース番組の識別信号とテロップ識別信号との組み合わせの設定と、音楽開始識別信号の設定とが登録して有れば、いずれかユーザが指定した設定をデータベース４２上から読み出す。
【０１０３】
パーソナルＩＤ設定入力は、データベース４２上や記録媒体１５上に識別信号の組み合わせを、ユーザが予め登録しておく場合である。この場合は、ユーザは個人専用の識別信号の組み合わせを登録しておき、サーチ画面を生成するときには、自己の登録コードを入力してこの設定を読み出す。具体的に、ユーザがスポーツ番組の識別信号とＡ選手の識別信号の組み合わせを予め登録して有れば、自己の登録コードを入力するとこの設定をデータベース４２或いは記録媒体１５から読み出す。
【０１０４】
通常設定入力は、複数ある識別信号の内、任意の識別信号をユーザが選択し、選択した識別信号のアンド条件やオア条件等を設定する入力であり、予め設定されている情報を読み込まず、この時点で設定する場合である。
【０１０５】
ステップＳ４１において、システムコントローラ４１は、これら３つの操作入力が無い場合はステップＳ４７に進む。システムコントローラ４１は、データベース設定入力が有った場合は、ステップＳ４２からステップＳ４４に進み、このステップＳ４４で、データベース４２から設定を読出して処理を終了する。システムコントローラ４１は、パーソナルＩＤ設定入力が有った場合は、ステップＳ４３からステップＳ４５に進み、このステップＳ４５で、個人設定情報をデータベース４２又は記録媒体１５から読出し処理を終了する。システムコントローラ４１は、通常入力が有った場合は、ステップＳ４３からステップＳ４６に進み、このステップＳ４６で、ユーザの操作入力に応じて識別信号を設定し処理を終了する。
【０１０６】
ステップＳ４７において、システムコントローラ４１は、映像信号再生装置３０が初期状態であるかどうかを判断する。すなわち、システムコントローラ４１は、映像信号再生装置３０を初めて起動する場合やこの装置をリセットした場合に、この初期状態になっている。初期状態の場合は、ステップＳ４８に進み、このステップＳ４８において、データベース４２等から初期化設定の情報を読出し、処理を終了する。
【０１０７】
また、初期状態でない場合は、ステップＳ４９において、先にサーチ画面を生成した際の識別信号の設定を読出し、この設定がされた一定時間が経過したかどうかを判断する。例えば、先にサーチ画面を生成してから１カ月経過したかどうかを判断する。所定時間が経過していないと判断する場合は、ステップＳ５０に進み、所定時間が経過したと判断する場合は、ステップＳ５１に進む。
【０１０８】
ステップＳ５０において、システムコントローラ４１は、データベース４２から前設定を読出して、処理を終了する。また、ステップＳ５１において、システムコントローラ４１は、前設定で設定されていない識別信号を設定して処理を終了する。
【０１０９】
システムコントローラ４１は、以上のようなステップＳ４１からステップＳ５１までの処理を行い、検出すべき識別信号を設定し或いは読出し、図５に示す次のステップＳ２６に進む。
【０１１０】
ステップＳ２６において、システムコントローラ４１は、新たにサーチ画面を生成するかどうかを判断する。新たにサーチ画面を生成しない場合は、ステップＳ２７に進み、このステップＳ２７において、メモリ３３ａ上に記憶されている旧サーチ画面を表示する。また、新たにサーチ画面を生成する場合は、ステップＳ２８に進む。
【０１１１】
ステップＳ２８において、システムコントローラ４１は、ステップＳ２５で設定した識別信号を、記録媒体１５から識別信号検出回路４０を介して取得する。
続くステップＳ２９において、システムコントローラ４１は、取得した識別信号に基づき、サーチ画面に表示するフレームをメモリ３３ａ上に記憶させる。このとき、映像信号処理回路３３は、メモリ３３ａ上に記憶するフレームを一定量縮小して、複数のフレームを１フレームのサーチ画面で表示できるようにする。そして、ステップＳ３０において、サーチ画面の生成処理が終了したかどうかを判断し、サーチ画面の生成処理が終了するとステップＳ３１に進む。
【０１１２】
ステップＳ３１において、メモリ３３ａ上に記憶させた新たなサーチ画面を出力し、モニタ上に表示させ、処理を終了する。
【０１１３】
以上のように、映像信号再生装置３０では、映像信号の付加情報と特徴量に基づいて各画面に対応させた複数の識別信号に応じて、このようなサーチ画面を生成することにより、映像信号の内容の概略を容易に把握することができ、また、効率的に映像信号の検索をすることができる。
【０１１４】
映像信号再生装置３０は、具体的には、ニュース識別信号かつテロップ識別信号の条件で、サーチ画面を生成した場合は、図７に示すように、モニタ上に表示できる。
【０１１５】
なお、映像信号再生装置３０では、設定した識別信号に対応するフレームが非常に多く、例えば１のサーチ画面上に表示できないときには、連続したフレームの先頭フレームのみをサーチ画面上に表示するといった間引き処理を行う。具体的には、スポーツ識別信号かつＡ選手識別信号の条件でサーチ画面を生成した場合は、図８に示すように、モニタ上に表示される。
【０１１６】
つぎに、本発明を適用した実施の形態である光ディスクについて、図面を参照しながら説明する。この光ディスクは、上述した映像信号記録装置１により映像信号と識別信号を記録した記録媒体である。
【０１１７】
光ディスク５０は、図９に示すように、プログラム領域とＴＯＣ領域に分けられる。プログラム領域及びＴＯＣ領域は、例えば２５３２バイトの記録容量のセクタ単位でデータの書き込み及び読出しが行われる。
【０１１８】
プログラム領域の各セクタのデータ構造は、図１０（ａ）に示すように、同期データが記録される同期パターンと、サブコードと、このサブコードの誤り訂正データが記録されるサブコード用誤り訂正コードと、映像データ及び音声データが記録されるユーザデータと、このユーザデータの誤り訂正データが記録されるユーザデータ用誤り訂正コード等で構成される。
【０１１９】
このサブコードのデータ構造は、セクタの番号を示すＳｅｃｔｏｒ  Ｎｕｍｂｅｒ（例えば４バイト）と、絶対時間を表すＴＩＭＥ ＣＯＤＥ（例えば４バイト）と、ＩＤ ＣＯＤＥ等で構成される。
【０１２０】
ＩＤ ＣＯＤＥには、各識別信号の情報が示されており、記録されている識別信号の数を示すＩＤ数と、テロップ識別信号，音楽開始識別信号，音楽終了識別信号等の識別信号が示されているＩＤ ＮＯ．ｎ等が記録されている。
【０１２１】
各ＩＤ ＮＯ．ｎには、例えばアドレスやタイムコード等が記録されている。映像信号再生装置３０は、このＩＤ ＮＯ．ｎのアドレスを検索し、そのアドレスのデータを生成することにより、目的のフレームを表示することができる。
【０１２２】
また、ＴＯＣ領域の各セクタのデータ構造は、図１０（ｂ）に示すように、同期データが記録される同期パターンと、管理情報が記録されるユーザデータと、このユーザデータの誤り訂正データが記録される誤り訂正コード等で構成される。
【０１２３】
このユーザデータのデータ構造は、セクタの番号を示すＳｅｃｔｏｒ  Ｎｕｍｂｅｒ（例えば４バイト）と、パーソナルＩＤのデータ等で構成される。このパーソナルＩＤのデータとは、上述したように、ユーザにより組み合わせを設定した識別信号のデータである。具体的には、このパーソナルＩＤには、プログラム領域のサブコードに示される各識別信号のＩＤ番号が含まれることとなる。また、パーソナルＩＤは、登録しているユーザ数だけ、このユーザデータの中に示される。
【０１２４】
このようなデータ構造の光ディスク５０に対して、この光ディスク５０の記録装置では、映像信号とともに、プログラム領域のサブコードに識別信号を記録する。また、光ディスク５０の再生装置では、映像信号とともに、プログラム領域のサブコードを再生する。さらに、光ディスク５０の再生装置は、上述したパーソナルＩＤをＴＯＣ領域のユーザデータから再生して、このパーソナルＩＤに応じた識別信号の再生をする。
【０１２５】
以上のように光ディスク５０では、映像信号の付加情報と特徴量に基づいて各画面に対応させた複数の識別信号を記録することができ、さらに、この光ディスクを再生することにより、映像信号の内容の概略を容易に把握することができ、また、効率的に映像信号の検索をすることができる。
【０１２６】
なお、本発明の実施の形態として光ディスクのフォーマットの一例を用いて説明したが、本発明は、この光ディスクに限られることなく、他のフォーマットでも実現できる。
【０１２７】
また、以上の本発明の実施の形態として、映像信号記録装置１、映像信号再生装置３０及び記録媒体５０について説明したが、図１１に示すように、映像信号記録装置１及び映像信号再生装置３０をともに制御できるホストコントローラ６０及びデータベース６１，操作入力処理部６２を備えることで、本発明を適用した映像信号記録再生装置７０を実現できる。
【０１２８】
【発明の効果】
本発明に係る映像信号記録再生装置では、映像信号記録部において、映像信号から付加情報及び／又は特徴量を検出し、上記付加情報及び／又は特徴量に基づいて生成された複数の識別信号を各画面に対応させて映像信号とともに記録媒体に記録し、映像信号再生部において、上記記録媒体から上記複数の識別信号を検出し、上記複数の識別信号の内、再生すべき映像信号を特定する識別信号を選択し、選択された識別信号に対応する画面の映像信号を上記記録媒体から再生するにあたり、上記映像信号再生部の再生手段は、識別信号検出手段により検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力するので、映像信号の内容の概略を容易に把握することができ、また、効率的に映像信号の検索をすることができる。
【０１２９】
また、本発明に係る映像信号記録再生方法では、映像信号から付加情報及び／又は特徴量を検出し、上記付加情報及び／又は特徴量に基づいて生成された複数の識別信号を各画面に対応させて映像信号とともに記録媒体に記録し、上記記録媒体から上記複数の識別信号を検出し、上記複数の識別信号の内、再生すべき映像信号を特定する識別信号を選択し、選択された識別信号に対応する画面の映像信号を上記記録媒体から再生するにあたり、検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することにより、映像信号の内容の概略を容易に把握することができ、また、効率的に映像信号の検索をすることができる。
【０１３０】
また、本発明に係る映像信号再生装置では、映像信号とともに、この映像信号の付加情報及び／又は特徴量に基づいて生成された各画面に対応する複数の識別信号が記録された記録媒体から、この複数の識別信号を識別信号検出手段により検出し、上記複数の識別信号の内、再生すべき映像信号を特定する識別信号を選択手段により選択し、選択された識別信号に対応する画面の映像信号を再生手段により上記記録媒体から再生するにあたり、上記再生手段は、上記識別信号検出手段により検出した上記識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力するので、映像信号の内容の概略を容易に把握することができ、また、効率的に映像信号の検索をすることができる。
【０１３１】
さらに、本発明に係る映像信号再生方法では、映像信号とともに、この映像信号の付加情報及び／又は特徴量に基づいて生成された各画面に対応する複数の識別信号が記録された記録媒体から、上記複数の識別信号を検出し、検出した複数の識別信号の内、再生すべき映像信号を特定する識別信号を選択し、選択した識別信号に対応する画面の映像信号を上記記録媒体から再生するにあたり、検出した複数の識別信号に基づき、上記記録媒体からこの識別信号に対応する画面の映像信号を再生し、上記識別信号に対応する複数の画面のうち、連続した画面の先頭の画面のみを選択するように間引き処理した上で１の画面に合成して出力することにより、映像信号の内容の概略を容易に把握することができ、また、効率的に映像信号の検索をすることができる。
【図面の簡単な説明】
【図１】本発明を適用した実施の形態の映像信号記録装置のブロック構成図である。
【図２】上記映像信号記録装置のシステムコントローラの処理内容を示すフローチャートである。
【図３】本発明を適用した実施の形態の映像信号再生装置のブロック構成図である。
【図４】上記映像信号再生装置により再生されるサーチ画面を説明する図である。
【図５】上記映像信号再生装置のシステムコントローラの処理内容を示すフローチャートである。
【図６】上記映像信号再生装置のシステムコントローラの処理内容を示すフローチャートである。
【図７】上記映像信号再生装置により再生されるサーチ画面を説明する図である。
【図８】上記映像信号再生装置により再生されるサーチ画面を説明する図である。
【図９】本発明を適用した実施の形態の光ディスクの記録領域について説明する図である。
【図１０】上記光ディスクのデータ構造を説明する図である。
【図１１】本発明を適用した実施の形態の映像信号記録再生装置のブロック構成図である。
【符号の説明】
１  映像信号記録装置、１４  記録処理回路、１５  記録媒体、１６、付加情報検出回路、１７  特徴量検出回路、２０，４１  システムコントローラ、２１，４２  データベース、２２，４３  操作入力処理回路、３０  映像信号再生装置、３３  映像信号処理回路、５０  光ディスク、７０  映像信号記録再生装置
【図１】
0003988205.tif 000002
【図２】
0003988205.tif 000003
【図３】
0003988205.tif 000004
【図４】
0003988205.tif 000005
【図５】
0003988205.tif 000006
【図６】
0003988205.tif 000007
【図７】
0003988205.tif 000008
【図８】
0003988205.tif 000009
【図９】
0003988205.tif 000010
【図１０】
0003988205.tif 000011
【図１１】
0003988205.tif 000012